(57)【要約】【課題】可動体のアシスト装置において、ストライカ体の高さ調整を格別に行わなくても、ストライカ体がキャッチャー体に係合される状態を、常時適切に作り出せるようにする。【解決手段】キャッチャー体２に可動体Ｍの所定の第一移動位置でストライカ体１を係合させてこの係合後のキャッチャー体２の付勢による移動によって可動体Ｍを所定の第二移動位置まで往動させる可動体Ｍのアシスト装置である。キャッチャー体２は、可動体Ｍが第一移動位置に至ったときに高さ方向ｙに移動してストライカ体１の係合部分１ａに係合される被係合部分２ａを備えていると共に、ストライカ体１の係合部分１ａを、一定の範囲で高さ方向ｙに自由移動可能に備えてなる。【選択図】図１
2020193499.tif 000002
【特許請求の範囲】
【請求項１】
可動体及び前記可動体を左右方向に往復動可能に支持する固定体のいずれか一方に備えられるストライカ体と、これらの他方に備えられる前記ストライカ体に対するキャッチャー体を含んだアシストユニットから構成され、
前記キャッチャー体に前記可動体の所定の第一移動位置で前記ストライカ体を係合させてこの係合後の前記キャッチャー体の付勢による移動によって前記可動体を所定の第二移動位置まで往動させる可動体のアシスト装置において、
前記キャッチャー体は、前記可動体が前記第一移動位置に至ったときに高さ方向に移動して前記ストライカ体の係合部分に係合される被係合部分を備えていると共に、
前記ストライカ体の前記係合部分を、一定の範囲で高さ方向に自由移動可能に備えてなる、可動体のアシスト装置。
【請求項２】
前記ストライカ体の前記係合部分における高さ方向の移動を一定の範囲に抑止する抑止手段を備えさせてなる、請求項１に記載の可動体のアシスト装置。
【請求項３】
前記抑止手段を、前記アシストユニットにおける前記ストライカ体の前記係合部の導入溝の溝口部に前記アシストユニットの内方側から引っかかる前記ストライカ体に備えさえた突部としてなる、請求項２に記載の可動体のアシスト装置。
【請求項４】
前記抑止手段を、前記第一移動位置において前記キャッチャー体側に形成された受入部に入り込む前記ストライカ体側に形成された被受入部としてなる、請求項２に記載の可動体のアシスト装置。
【請求項５】
前記ストライカ体を、固定部分に前記係合部分を移動可能に組み合わせて構成させてなる、請求項１〜請求項４のいずれか１項に記載の可動体のアシスト装置。
【請求項６】
前記固定部分と前記係合部分との間に、両者を離れ出させる向きに付勢する付勢部材を介在させてなる、請求項５に記載の可動体のアシスト装置。
【発明の詳細な説明】
【技術分野】
【０００１】
この発明は、引き戸などの可動体の往動を、その途中からアシスト（補助）するアシスト装置の改良に関する。
【背景技術】
【０００２】
開閉体（引き戸などの可動体）の閉まり際に、この開閉体に備えられた被捕捉部材（ストライカ体）を、固定部材（戸枠などの固定体）に備えられた捕捉引き込み機構を構成するキャッチャに捕捉させて、前記捕捉引き込み機構を構成する弾性体によって前記捕捉後に移動されるキャッチャにより開閉体を強制的に閉位置に誘導（アシスト）するものとして、特許文献１に示されるものがある。
【０００３】
しかるに、前記特許文献１のものでは、被捕捉部材は上下の位置調整ができない構造である。このため、特許文献１のものでは、被捕捉部材及びキャッチャの上下方向の位置合わせを設置にあたって適切に行う必要があると共に、開閉体及び固定部材の経年変化により被捕捉部材及びキャッチャの上下方向の位置がズレてしまった場合には開閉体の前記アシスト機能を発揮し得ない動作不良状態をただちに生じさせてしまうものであった。
【０００４】
同種のアシスト装置として、特許文献２に示されるものがある。この特許文献２のものでは、ボルトを操作することでストライカ体の高さが調節可能となっている。
【先行技術文献】
【特許文献】
【０００５】
【特許文献１】特許第５６５３７４２号公報
【特許文献２】特許第５９２３２９８号公報
【発明の概要】
【発明が解決しようとする課題】
【０００６】
この発明が解決しようとする主たる問題点は、この種のアシスト装置において、前記ストライカ体の高さ調整を格別に行わなくても、前記ストライカ体が前記キャッチャー体に係合される状態を、常時適切に作り出せるようにする点にある。
【課題を解決するための手段】
【０００７】
前記課題を達成するために、この発明にあっては、可動体のアシスト装置を、可動体及び前記可動体を左右方向に往復動可能に支持する固定体のいずれか一方に備えられるストライカ体と、これらの他方に備えられる前記ストライカ体に対するキャッチャー体を含んだアシストユニットから構成され、
前記キャッチャー体に前記可動体の所定の第一移動位置で前記ストライカ体を係合させてこの係合後の前記キャッチャー体の付勢による移動によって前記可動体を所定の第二移動位置まで往動させる可動体のアシスト装置において、
前記キャッチャー体は、前記可動体が前記第一移動位置に至ったときに高さ方向に移動して前記ストライカ体の係合部分に係合される被係合部分を備えていると共に、
前記ストライカ体の前記係合部分を、一定の範囲で高さ方向に自由移動可能に備えてなる、ものとした。
【０００８】
この発明にあっては、前記ストライカ体の前記係合部分は、一定の範囲で高さ方向に自由移動可能に備えられている。これにより、この発明にあっては、キャッチャー体の被係合部分とストライカ体の係合部分との高さ方向の位置合わせを厳密に行わなくても、前記第一移動位置において前記被係合部分に前記係合部分が常時適切に係合されるようにすることができる。
【０００９】
前記ストライカ体の前記係合部分における高さ方向の移動を一定の範囲に抑止する抑止手段を備えさせておくことが、この発明の態様の一つとされる。この場合、前記抑止手段を、前記アシストユニットにおける前記ストライカ体の前記係合部の導入溝の溝口部に前記アシストユニットの内方側から引っかかる前記ストライカ体に備えさえた突部とするか、前記抑止手段を、前記第一移動位置において前記キャッチャー体側に形成された受入部に入り込む前記ストライカ体側に形成された被受入部としておくことが、この発明の態様の一つとされる。
【００１０】
また、前記ストライカ体を、固定部分に前記係合部分を移動可能に組み合わせて構成させておくことが、この発明の態様の一つとされる。この場合、前記固定部分と前記係合部分との間に、両者を離れ出させる向きに付勢する付勢部材を介在させておくことが、この発明の態様の一つとされる。
【発明の効果】
【００１１】
この発明によれば、 この種のアシスト装置において、前記ストライカ体の高さ調整を格別に行わなくても、前記ストライカ体が前記キャッチャー体に係合される状態を、常時適切に作り出すことができる。
【図面の簡単な説明】
【００１２】
【図１】図１は、この発明の一実施の形態にかかるアシスト装置（第一例）の使用例を示した引き戸の上部の要部破断正面構成図であり、引き戸はストライカ体にキャッチャー体を係合させる第一移動位置に向けた移動の過程にある。
【図２】図２は、前記第一例の使用例を示した引き戸の上部の要部破断正面構成図であり、引き戸は第二移動位置にある。
【図３】図３は、前記第一例の別の使用例を示した引き戸の上部の要部破断正面構成図であり、引き戸はストライカ体にキャッチャー体を係合させる第一移動位置に向けた移動の過程にある。
【図４】図４は、前記第一例の別の使用例を示した引き戸の上部の要部破断正面構成図であり、引き戸は第二移動位置にある。
【図５】図５は、前記第一例のアシスト装置を構成するストライカ体の斜視構成図である。
【図６】図６は、前記第一例のアシスト装置を構成するアシストユニットの斜視構成図である。
【図７】図７は、図６のアシストユニットの要部斜視構成図である。
【図８】図８は、図６のアシストユニットの正面構成図である。
【図９】図９は、図６のアシストユニットの要部断面構成図であり、キャッチャー体はアシスト開始前位置にある。
【図１０】図１０は、図６のアシストユニット及びストライカ体の要部断面構成図であり、キャッチャー体はアシスト終了位置にある。
【図１１】図１１は、この発明の一実施の形態にかかるアシスト装置（第二例）を構成するストライカ体の斜視構成図である。
【図１２】図１２は、前記第二例を構成するストライカ体を図１１と異なる向きから見た斜視構成図である。
【図１３】図１３は、前記第二例を構成するアシストユニットの斜視構成図であり、シリンダーなど一部部品の記載を省略して示している。
【図１４】図１４は、前記第二例を構成するアシストユニットの斜視構成図であり、シリンダーなど一部部品の記載を省略して示している。
【図１５】図１５は、前記第二例を構成するアシストユニットの要部断面構成図であり、キャッチャー体はアシスト開始前位置にある。
【図１６】図１６は、前記第二例を構成するアシストユニットの要部断面構成図であり、可動体が第一移動位置にあってキャッチャー体とストライカ体とが係合した状態を示している。
【発明を実施するための形態】
【００１３】
以下、図１〜図１６に基づいて、この発明の典型的な実施の形態について説明する。この実施の形態にかかる可動体Ｍのアシスト装置は、可動体Ｍの往動を、その途中（後述の第一移動位置）から後述の第二移動位置までの間において、アシスト（補助）するものである。
【００１４】
かかるアシスト装置は、可動体Ｍ及び前記可動体Ｍを左右方向に往復動可能に支持する固定体Ｓのいずれか一方に備えられるストライカ体１と、これらの他方に備えられる前記ストライカ体１に対するキャッチャー体２を含んだアシストユニット３とから構成されている。
【００１５】
そして、かかるアシスト装置は、前記キャッチャー体２に前記可動体Ｍの所定の第一移動位置で前記ストライカ体１を係合（捕捉）させてこの係合後の前記キャッチャー体２の付勢による移動によって前記可動体Ｍを所定の第二移動位置（図２、図４の位置）まで往動させるようになっている。
【００１６】
前記可動体Ｍは、固定体Ｓに往復動可能に支持されるものであり、例えば、引き戸、吊り戸、折り戸などがあげられるが、固定体Ｓに往復動可能に支持されるものであれば足りこれらに限られるものではない。
【００１７】
前記可動体Ｍが前記第一移動位置に向けて往動操作されると（図１、図３）、前記第一移動位置において、アシスト開始位置に仮保持されたアシストユニット３を構成するキャッチャー体２にストライカ体１が当接するようになっている。
【００１８】
キャッチャー体２は、アシスト開始前位置（図９）とアシスト終了位置（図１０）との間での左右方向ｘの移動可能にアシストユニット３を構成するケーシング４内に組み込まれている。
【００１９】
また、キャッチャー体２は、アシスト開始前位置において、アシスト終了位置に向けた付勢力を被っているが、仮保持手段５によって前記当接が生じるまではアシスト開始前位置に仮保持されるようになっている。
【００２０】
また、キャッチャー体２は、前記可動体Ｍが前記第一移動位置に至ったときに高さ方向ｙに移動して前記ストライカ体１の係合部分１ａに係合される被係合部分２ａを備えている。
【００２１】
具体的には、前記当接が生じると、前記仮保持が解除されると共に、キャッチャー体２の被係合部分２ａが高さ方向ｙに移動してストライカ体１の係合部分１ａに係合されるようになっている。
【００２２】
前記仮保持の解除によりストライカ体１に係合した状態でキャッチャー体２はアシスト終了位置まで付勢により移動されることから、キャッチャー体２の移動距離分の可動体Ｍの第二移動位置までの往動のアシストが実現される。
【００２３】
第二移動位置にある可動体Ｍを第一移動位置まで復動させると、キャッチャー体２はストライカ体１に係合した状態でアシスト開始前位置まで移動し、再び仮保持手段５によりアシスト開始前位置に仮保持されると共に、被係合部分２ａを高さ方向ｘに移動させてストライカ体１の係合部分１ａとの係合を解く（解放）ようになっている。
【００２４】
図示の例では、アシスト装置を引き戸Ｍａに使用した例を示している。可動体Ｍとしての引き戸Ｍａは、この引き戸Ｍａにより開放可能に閉塞される出入り口Ｓａを備えた固定体Ｓに設けられたレール部Ｓｂに、引き戸Ｍａの上端部を収めて、このレール部Ｓｂに沿った往動と復動とを行うように、この固定体Ｓに組み合わされている。
【００２５】
図１及び図２は、固定体Ｓ側にストライカ体１を設け、引き戸Ｍａ側にアシストユニット３を備えさせた例を示している。ストライカ体１は、下方に溝口を位置させた溝状をなす前記レール部Ｓｂの天壁Ｓｃに取り付けられて前記レール部Ｓｂ内に位置されている。アシストユニット３は引き戸Ｍａの上端部に内蔵されており、引き戸Ｍａの前端Ｍｂからこれを構成するケーシング４内に前記第一移動位置への往動の過程で前記ストライカ体１を受け入れるようになっている。キャッチャー体２はアシスト開始前位置において引き戸Ｍａの前端Ｍｂ側に位置し、そこから左側に移動してアシスト終了位置に至るようになっている。
【００２６】
一方、図３及び図４は、図１及び図２の例とは逆に、固定体Ｓ側にアシストユニット３を設け、引き戸Ｍａ側にストライカ体１を備えさせた例を示している。アシスト開始前位置にあるキャッチャー体２はそこから右側に移動してアシスト終了位置に至るようになっている。
【００２７】
この実施の形態にあっては、前記ストライカ体１の前記係合部分１ａは、一定の範囲で高さ方向ｙに自由移動可能に備えられている。これにより、この実施の形態にあっては、キャッチャー体２の被係合部分２ａとストライカ体１の係合部分１ａとの高さ方向ｙの位置合わせを厳密に行わなくても、前記第一移動位置において前記被係合部分２ａに前記係合部分１ａが常時適切に係合されるようにすることができる。
【００２８】
すなわち、係合部分１ａを高さ方向ｙに移動可能としない場合、図１の場合には係合部分１ａが上側にあり過ぎると前記当接により仮保持が解除されて上方に移動する被係合部分２ａに係合部分１ａが係合されず、また、図３の場合には係合部分１ａが下側にあり過ぎると前記当接により仮保持が解除されて下方に移動する被係合部分２ａに係合部分１ａが係合されないこととなる。前記ストライカ体１の前記係合部分１ａを一定の範囲で高さ方向ｙに自由移動可能にしておけば、この係合部分１ａの移動範囲においては被係合部分２ａに係合部分１ａを適切に係合させることができる。また、経年変化などにより、当初適切だったキャッチャー体２の被係合部分２ａとストライカ体１の係合部分１ａとの高さ方向ｙの位置にズレが生じたときも、前記係合部分１ａの移動範囲においては被係合部分２ａに係合部分１ａを適切に係合させることができ、こうしたときに格別の手段を講じる必要がない。
【００２９】
（第一例）
図１〜図１０に示される第一例では、アシストユニット３は、左右方向ｘに長いケーシング４内に、キャッチャー体２をこのケーシング４の長さ方向に移動可能に納めさせた構成となっている。
【００３０】
ケーシング４は、その長さ方向に沿った前後の側板部４ａを、この前後の側板部４ａの両端側でそれぞれ端板部４ｂによってつないだ形態となっている。
【００３１】
ケーシング４は、これを上下に二分する仮想の直線ｚ（図９参照）を挟んだ一方側に位置する第一空間４ｃ（図９においては上側となる空間）と、第二空間４ｄ（図９においては下側となる空間）とを持つようになっている。
【００３２】
ケーシング４の端板部４ｂの一方は、第二空間４ｄ側にのみ形成されており、この一方の端板部４ｂの形成されていない箇所が、ストライカ体１の導入部４ｅとなっている。可動体Ｍを第一移動位置まで移動させると、ストライカ体１が導入部４ｅからケーシング４内に入り込み、アシスト開始前位置に仮保持されたキャッチャー体２に当接されるようになっている。
【００３３】
ケーシング４の前後の側板部４ａにはそれぞれ、前記仮保持手段５を構成する透かし溝として構成された案内溝５ａが形成されている。案内溝５ａは、前記仮想の直線ｚ（図９参照）に沿うように形成された横溝部５ｂと、この横溝部５ｂにおける導入部４ｅ側の前端部との間に屈曲部を形成して第二空間４ｄ側に続く縦溝部５ｃとを備えている。
【００３４】
キャッチャー体２は、被係合部分２ａを備えた第一パーツ２ｃと、ストライカ体１に当接される第二パーツ２ｈと、第一パーツ２ｃを回動可能に支持すると共に第二パーツ２ｈを左右方向ｘにスライド移動可能に支持した第三パーツ２ｎとを備えている。
【００３５】
第一パーツ２ｃは、前記導入部４ｅ側に位置される前端２ｄと、これと反対の後端２ｅと、この前端２ｄと後端２ｅとの間に形成された山状をなす被係合部分２ａとを備えている。被係合部分２ａは、その頂部２ｂを第一空間４ｃ側に位置させるようになっている。第一パーツ２ｃの前端２ｄには、その前後にそれぞれ、案内溝５ａに納まる第一突部２ｆが形成されている。第一パーツ２ｃは、被係合部分２ａと後端２ｅとの間であって、前記仮想の直線ｚ上に位置される箇所に案内溝５ａに納まる第二突部２ｇを備えており、図示の例では、この第二突部２ｇ位置において第三パーツ２ｎに回動可能に支持されている。
【００３６】
第二パーツ２ｈは、前記第一空間４ｃにおいて第三パーツ２ｎに支持されている。第二パーツ２ｈは、前記導入部４ｅ側に位置される前端２ｉを、第一パーツ２ｃの係合部分１ａよりも後方に位置させ、かつ、第一パーツ２ｃの後端２ｅよりも前方に位置させると共に、この前端２ｉに前記導入部４ｅ側に突き出す当接部２ｋを備えている。
【００３７】
図示の例では、ケーシング４の第二空間４ｄにおけるキャッチャー体２とケーシング４の他方の端板部４ｂとの間に、キャッチャー体２の付勢手段となる引っ張りコイルバネ６が納められている。このバネ６の一端は第一パーツ２ｃの前端２ｄと後端２ｅとの間であって常時第二空間４ｄに位置される箇所に止着され、このバネ６の他端はケーシング４の他方の端板部４ｂ側に止着されている。
【００３８】
これにより、この実施の形態にあっては、アシスト開始前位置において、キャッチャー体２は、前記バネ６の付勢により、第一パーツ２ｃの第一突部２ｆを案内溝５ａの縦溝部５ｃに納め、第一パーツ２ｃは被係合部分２ａの頂部２ｂを前記仮想の直線ｚ上に位置させる非係合姿勢に保持されるようになっている（図９）。
【００３９】
可動体Ｍが第一移動位置に往動されてストライカ体１が第二パーツ２ｈの当接部２ｋに当接されると、第二パーツ２ｈが後退し、第二パーツ２ｈの前端２ｉの一部２ｊが第一パーツ２ｃの後端２ｅ側に前方から当たり、第一パーツ２ｃは第二突部２ｇ位置を中心として被係合部分２ａを第一空間４ｃに入り込ませる向きに回動する。これにより、キャッチャー体２の第一パーツ２ｃはストライカ体１の係合部分１ａに被係合部分２ａを係合可能とする係合姿勢となる。第一突部２ｆが案内溝５ａの屈曲部に至ると、バネ６の付勢により第一突部２ｆは横溝部５ｂに入り込み、アシスト終了位置（図１０）までキャッチャー体２は自動的に移動される。
【００４０】
このようになされるアシスト装置のアシストにより前記第二移動位置に移動した可動体Ｍを、前記第二移動位置から前記第一移動位置に向けて可動体Ｍを復動させると、バネ６の付勢により前記屈曲部に至った第一突部２ｆは縦溝部５ｃに入り込み、第一パーツ２ｃは回動して非係合姿勢で再び保持され、被係合部分２ａはストライカ体１の係合部分１ａを解放するようになっている。
【００４１】
なお、図６中符号７で示すのは、ケーシング４の第一空間４ｃにおけるキャッチャー体２の第三パーツ２ｎとケーシング４の他方の端板部４ｂとの間に、キャッチャー体２の前記バネ６による後退に所定の制動力を付与する制動手段としてのピストンダンパーを構成するシリンダーである。
【００４２】
一方、ストライカ体１は、固定部分となるベース１ｂと、このベース１ｂに回動可能に組み合わされた前記係合部分１ａを備えたアーム１ｆとを備えている。
【００４３】
ベース１ｂは、左右方向ｘに長い板部１ｃを有し、この板部１ｃの一面を固定体Ｓ又は可動体Ｍへの取付面１ｄとしている。板部１ｃの他面には、アーム１ｆの支持部１ｅが形成されている。
【００４４】
アーム１ｆは、左右方向ｘに長い。アーム１ｆは、アシストユニット３のケーシング４への進入側となる前端１ｇと、これと反対の後端１ｈとの間に、係合部分１ａを備えている。それと共に、アーム１ｆは、後端１ｈ側において、前記支持部１ｅに回動可能に組み合わされている（この回動中心軸を図５において符号１ｉで示す。）。これにより、アーム１ｆは、アーム１ｆの前端１ｇとベース１ｂとの間に所定の間隔を開けた位置（図５の位置）と、この前端１ｇをベース１ｂに接しさせる位置との間に亘る高さ方向ｙの移動可能とされ、このアーム１ｆに形成された係合部分１ａが一定の範囲で高さ方向ｙに自由移動可能となっている。
【００４５】
図示の例では、係合部分１ａは、アーム１ｆにおけるベース１ｂに向き合う側と反対の側において開放されてベース１ｂ側に凹む切り欠き部となっている。
【００４６】
また、アシスト装置は、前記ストライカ体１の前記係合部分１ａにおける高さ方向ｙの移動を一定の範囲に抑止する抑止手段８を備えている。前記のようにキャッチャー体２は、前記可動体Ｍが前記第一移動位置に至ったときに高さ方向ｙに移動して前記ストライカ体１の係合部分１ａに被係合部分２ａを係合させるようになっているが、これに対する係合部分１ａの高さ方向ｙの移動は一定の範囲に抑止されることから、このときにキャッチャー体２側の前記移動によりストライカ体１の係合部分１ａが両者が係合されない位置まで押上あるいは押し下げられてしまうことがないようになっている。また、第二移動位置から可動体Ｍを第一移動位置まで復動させるときに、この復動の過程において前記と同様にキャッチャー体２の被係合部分２ａに押上あるいは押し下げられて両者の係合が予期せず解かれることがないようになっている。
【００４７】
この例では、前記抑止手段８を、前記第一移動位置において前記キャッチャー体２側に形成された受入部８ａに入り込む前記ストライカ体１側に形成された被受入部８ｄとしている。
【００４８】
図示の例では、受入部８ａは、キャッチャー体２の第二パーツ２ｈの当接部２ｋの側方に形成されている。図示の例では、第二パーツ２ｈの前端２ｉには、図中符号２ｍで示す弾性部材からなる当接部２ｋが形成されていると共に、この当接部２ｋよりも前記仮想の直線ｚ側に、前方に開放された受入部８ａが形成されている。
【００４９】
一方、前記被受入部８ｄは、前記ストライカ体１のアーム１ｆの前端１ｇから前方に突き出すように形成されている。
【００５０】
受入部８ａは、前記当接部２ｋ側に位置される上縁部８ｂと前後の側縁部８ｃとを備え、第二空間４ｄ側を開放させている（図７）。
【００５１】
これにより、可動体Ｍを第一移動位置に往動させたときに、ストライカ体１のアーム１ｆの前端１ｇがキャッチャー体２の第二パーツ２ｈの当接部２ｋに当接されると共に、受入部８ａに被受入部８ｄが入り込み、アーム１ｆの高さ方向ｙの移動、まり、係合部分１ａの高さ方向ｙの移動が一定の範囲で抑止されるようになっている。
【００５２】
また、この実施の形態にあっては、ストライカ体１における前記固定部分と前記係合部分１ａとの間に、両者を離れ出させる向きに付勢する付勢部材を介在させている。図示の例では、固定部分となるベース１ｂとアーム１ｆとの間に、圧縮コイルバネ９からなる付勢部材を介在さて、アーム１ｆはアーム１ｆの前端１ｇとベース１ｂとの間に所定の間隔を開けた位置（図５の位置）に付勢により位置づけられるようになっている。これにより、ストライカ体１の係合部分１ａは、キャッチャー体２の被係合部分２ａとの係合が解かれたときは、この係合前の位置に自動的に復帰するようになっている。
【００５３】
また、この例では、アシストユニット３を構成するケーシング４における導入部４ｅであって、前記仮想の直線ｚ上に位置される箇所に、ケーシング４の奥側に向かうに連れて高まる案内面１０が形成されている。これにより、ストライカ体１のアーム１ｆの前端１ｇがこの案内面１０と同じレベルにある限り、ケーシング４内にストライカ体１が入り込む際にストライカ体１が案内面１０に案内されて係合部分１ａがケーシング４内の所定の高さ位置に移動され、当接部２ｋへの当接、被受入部８ｄの受入部８ａへの入り込み、これに続く係合部分１ａと被係合部分２ａとの係合が確実にもたらされるようになっている。
【００５４】
（第二例）
図１１〜図１６に示される第二例は、前記抑止手段８を、前記アシストユニット３における前記ストライカ体１の前記係合部分１ａの導入溝８ｅの溝口部に前記アシストユニット３の内方側から引っかかる前記ストライカ体１に備えさせた突部８ｆとしてなる点を、前記第一例と異ならせている。この第二例のその余の構成は、前記第一例と同一又は実質的に同一であるので、この同一又は実質的に同一の構成部分については第二例を示す図１１〜図１６に第一例を示す各図に付した符号と同一の符号を付してその説明を省略する。
【００５５】
この第二例では、ケーシング４の前記第一空間４ｃ側において、ケーシング４を構成する前後の側板部４ａ間の開放部が、側板部４ａに直交する向きに内側に突き出す庇状部１１によって狭められており、前側に位置される庇状部１１と後側に位置される庇状部１１との間に、前記導入溝８ｅを形成させている。図示の例では、庇状部１１は、ケーシング４に取り付けたカバー１２によってケーシング４に備えられるようになっている。導入溝８ｅは、ケーシング４の導入部４ｅとの間にやや間隔を開けて、アシスト開始前位置にあるキャッチャー体２の被係合部分２ａの直上位置から始まりケーシング４の導入部４ｅ側と反対の後端側に続いている。
【００５６】
一方、この第二例では、ストライカ体１のアーム１ｆの前端１ｇに、前方（ケーシング４の前側の側板部４ａ側）に向けて突き出す突部８ｆと、後方（ケーシング４の後側の側板部４ａ側）に向けて突き出す突部８ｆとを設け、導入部４ｅからケーシング４内に入り込んだ状態において、アーム１ｆの前記突部８ｆ以外の部分を導入溝８ｅ高さ方向ｙの通過可能とさせながら、前記突部８ｆはそれぞれ、前記導入溝８ｅの溝口部、つまり、前記庇状部１１に内方から引っかかるようにしている。
【００５７】
これにより、この例にあっても、可動体Ｍを第一移動位置に往動させたときに、ストライカ体１のアーム１ｆの前端１ｇがキャッチャー体２の第二パーツ２ｈの当接部２ｋに当接されると共に、突部８ｆが導入溝８ｅの溝口部の内方に位置されることから、アーム１ｆの高さ方向ｙの移動、まり、係合部分１ａの高さ方向ｙの移動が一定の範囲で抑止されるようになっている。
【００５８】
なお、当然のことながら、本発明は以上に説明した実施形態に限定されるものではなく、本発明の目的を達成し得るすべての実施形態を含むものである。
【符号の説明】
【００５９】
Ｍ  可動体
１  ストライカ体
１ａ  係合部分
２  キャッチャー体
２ａ  被係合部分
ｙ  高さ方向
【図１】
2020193499.tif 000003
【図２】
2020193499.tif 000004
【図３】
2020193499.tif 000005
【図４】
2020193499.tif 000006
【図５】
2020193499.tif 000007
【図６】
2020193499.tif 000008
【図７】
2020193499.tif 000009
【図８】
2020193499.tif 000010
【図９】
2020193499.tif 000011
【図１０】
2020193499.tif 000012
【図１１】
2020193499.tif 000013
【図１２】
2020193499.tif 000014
【図１３】
2020193499.tif 000015
【図１４】
2020193499.tif 000016
【図１５】
2020193499.tif 000017
【図１６】
2020193499.tif 000018